(57)【要約】【課題】警棒自体に発射装置を設けて、警棒としての機能を有すると同時にカラーボールを犯人目掛けて打ち出すことができる多目的な特殊警棒を提供する。また、警棒から弾丸（カラーボール）を射出することができる細筒状の特殊形状の弾丸発射装置と、それに使用する特殊構造の弾丸を提供する。【解決手段】弾性体と引き金部とを円筒体の中に装備した持ち手部と、該持ち手部の先に連設された弾丸と弾丸発射装置とを内装した先頭部とからなり、持ち手部の引き金部を操作することにより、先頭部の弾丸発射装置の起爆装置を作動させてガスを噴射し、装填されている弾丸を先端の開口より前方に発射する構成とからなる警棒である。【選択図】図１
2010084978.tif 000002
【特許請求の範囲】
【請求項１】
弾性体と引き金部とを円筒体の中に装備した持ち手部と、該持ち手部の先に連設された弾丸と弾丸発射装置とを内装した先頭部とからなり、持ち手部の引き金部を操作することにより、先頭部の弾丸発射装置の起爆装置を作動させてガスを噴射し、装填されている弾丸を先端の開口より前方に発射することを特徴とする警棒。
【請求項２】
前記持ち手部は、円筒体の内部に、一端を持ち手部の内底面に当接させ他端を弾性体嵌合部に嵌合させている弾性体と、該弾性体嵌合部から直角に伸延し外部から操作できるように円筒体の外部に突出するように設けられた操作片と弾性体嵌合部とからなる引き金部を装備するとともに、円筒体の一部に、操作片を外部に突出させる細長孔が、引き金部を係止できるようにＬ字型に切設されていることを特徴とする請求項１記載の警棒。
【請求項３】
前記先頭部および／または前記持ち手部は、樹脂素材で形成されることを特徴とする請求項１または２記載の警棒。
【請求項４】
前記持ち手部には、間違って作動することの無いように、前記孔を塞ぐことができる回転蓋体のような安全装置が設けられていることを特徴とする請求項１乃至３のいずれか１項に記載の警棒。
【請求項５】
一端から押圧されることにより起爆材であるガスのボンベの密封口を破砕して内部に充填されている圧縮ガスを噴出させ弾丸を前方に射出する弾丸発射装置が、円筒体内に装備されおり、弾丸発射装置の基端には外部から押圧されて内部へ突出部の先端が押圧突入するための押圧孔が穿設され、先端には弾丸を挿入でき且つ弾丸が発射される開口が設けられ、さらに、内部に起爆材であるガスを充填したガスボンベを保管するガスボンベ保管部が設けられており、該ガスボンベ保管部の基端には前記押圧孔から押圧されることにより均一にガスボンベを押圧できるように、前記押圧孔と嵌合する突起が設けられガス保管部内壁に密着するように円盤状押圧体が設置されるとともに、先端にはガスが噴出するようにガス噴出孔が一つ若しくは複数形成された噴出壁が設けられていることを特徴とする弾丸発射装置。
【請求項６】
前記弾丸発射装置は、弾丸を確実に前方に発射するために弾丸と前記噴出壁との間に発射したガスを均一に充満させて無駄なく前方に噴出するように、前記噴出壁の縁に円筒形に立ち上げた突出壁を形成したことを特徴とする請求項５記載の弾丸発射装置。
【請求項７】
前記噴出壁には、ガスボンベのガスを噴出させるために先端を鋭角に尖らせた円筒形状の刃体が、ガスボンベの密封口を確実に破砕するように、密封口（蓋体）の表面に対向する位置に立設されていることを特徴とする請求項５または６記載の弾丸発射装置。
【請求項８】
前記弾丸は、内包する防犯用カラーボールと外装体とからなり、射出後に分割する外装体が、その基端の外径を前記弾丸発射装置に当接し密着できるように前記弾丸発射装置の開口より一回り小さい径の筒型に形成し、先端を射出後に空気圧を受け自然に前記外装体がカラーボールから分離するように円形凹部に形成したことを特徴とする請求項５記載の弾丸。
【発明の詳細な説明】
【技術分野】
【０００１】
本発明は、警察官や警備員等が使用する警棒（警戒棒）に関し、特に警棒に発射装置を装備して、必要に応じてカラーボールの弾丸を発射できるようにした弾丸発射装置付き警棒に関する。
【背景技術】
【０００２】
警察官や警備員等は、防犯器具を装備した状態で、警備・警護および警ら業務に携わっている。警棒は一般的には腕の長さ程度の円柱の棒状体で、木製の堅固な素材からなり、犯罪が発生した際には、その警棒で犯人を威嚇したり、取り押さえて確保したり、攻撃用の武器としたり自分を防衛する護身用に使用されている。単純な木製の棒に限らず、握り手のあるトンファー型であったり、伸縮式の特殊な形状の特殊警棒も使用されている。警棒は基本的には打撃を与えて取り押さえたりするための道具であり、犯人確保に関しては接近戦でないと効力を発揮出来ない欠点があった。警棒で威圧または取り押さえようとしても、犯人は、多くは逃走をする傾向があり、警棒では殺傷力の点で劣ることに問題があった。また、逃亡者を追いかける際には警棒は有効に機能しないのが常であり、却って携行状態で犯人を追跡するので時には手足まといとなったり、不要なものとなってしまう傾向もあった。
【０００３】
逃走する犯人に対して効果を有するのは、逃亡者に目掛けて打撃を与えることであり、飛び道具機能を有する機器により、逃走をあきらめさせる効果のあるものが開発されている。この中には、検挙率を高める防犯道具としては犯人に当たると破裂して色素が被服等に付着するカラーボールが存在する。防犯または警護に使用されるカラーボールとしてはその他にも、悪臭を放つ種類のものや、涙腺を刺激して逃走意欲を削ぐ種類のものがある。
最近では、付着力が強く、簡単には落ちないような染料が装填されていて逃亡者に当たると簡単に破裂して逃亡者の被服に飛散付着し、犯人特定に役立つ構成のものが各種開発されるようになっている。
【０００４】
警棒を手に持った状態で、カラーボールを投じるとなると、ただでさえ目標に当てるのに相当のコントロールが必要となり、単発で失敗が許されないのにカラーボールが全く犯人に当たらず目的が達成されない心配がある。さらに、犯人に当たらずに道路で破裂してカラーボールが無駄になり、周囲を汚染することになる。
そこで、警棒の芯の中にカラーボールの弾丸発射装置が装備された命中率の高い発射装置付き警棒の開発が待たれていた。
【０００５】
【特許文献１】特開２００３−１４８８９５号公報
【特許文献２】特開平５−６０４９４号公報
【発明の開示】
【発明が解決しようとする課題】
【０００６】
上記問題を解決するために本発明の目的は、警棒自体に発射装置を設けて、警棒としての機能を有すると同時にカラーボールを犯人目掛けて打ち出すことができる多目的な特殊警棒を提供することを目的としている。また、警棒から弾丸（カラーボール）を射出することができる細筒状の特殊形状の弾丸発射装置と、それに使用する特殊構造の弾丸を提供することを目的としている。
【課題を解決するための手段】
【０００７】
上記目的を達成するために本発明に係る警棒は、弾性体と引き金部とを円筒体の中に装備した持ち手部と、該持ち手部の先に連設された弾丸と弾丸発射装置とを内装した先頭部とからなり、持ち手部の引き金部を操作することにより、先頭部の弾丸発射装置の起爆装置を作動させてガスを噴射し、装填されている弾丸を先端の開口より前方に発射する構成である。
また、持ち手部は、円筒体の内部に、一端を持ち手部の内底面に当接させ他端を弾性体嵌合部に嵌合させている弾性体と、該弾性体嵌合部から直角に伸延し外部から操作できるように円筒体の外部に突出するように設けられた操作片と弾性体嵌合部とからなる引き金部を装備するとともに、円筒体の一部に、操作片を外部に突出させる細長孔が、引き金部を係止できるようにＬ字型に切設されている構造である。
【０００８】
また、先頭部および／または前記持ち手部は、樹脂素材で形成される構成である。さらに、持ち手部には、間違って作動することの無いように、孔を塞ぐことができる回転蓋体のような安全装置が設けられている構成でもある。
【０００９】
次に、本発明の弾丸発射装置は、一端から押圧されることにより起爆材であるガスのボンベの密封口を破砕して内部に充填されている圧縮ガスを噴出させ弾丸を前方に射出する弾丸発射装置が、円筒体内に装備されおり、弾丸発射装置の基端には外部から押圧されて内部へ突出部の先端が押圧突入するための押圧孔が穿設され、先端には弾丸を挿入でき且つ弾丸が発射される開口が設けられ、さらに、内部に起爆材であるガスを充填したガスボンベを保管するガスボンベ保管部が設けられており、該ガスボンベ保管部の基端には前記押圧孔から押圧されることにより均一にガスボンベを押圧できるように、前記押圧孔と嵌合する突起が設けられガス保管部内壁に密着するように円盤状押圧体が設置されるとともに、先端にはガスが噴出するようにガス噴出孔が一つ若しくは複数形成された噴出壁が設けられている構造である。
【００１０】
また、弾丸発射装置は、弾丸を確実に前方に発射するために弾丸と前記噴出壁との間に発射したガスを均一に充満させて無駄なく前方に噴出するように、前記噴出壁の縁に円筒形に立ち上げた突出壁を形成した構成でもある。
さらに、噴出壁には、ガスボンベのガスを噴出させるために先端を鋭角に尖らせた円筒形状の刃体が、ガスボンベの密封口を確実に破砕するように、密封口（蓋体）の表面に対向する位置に立設されている構成である。
また、弾丸は、内包する防犯用カラーボールと外装体とからなり、射出後に分割する外装体が、その基端の外径を前記弾丸発射装置に当接し密着できるように前記弾丸発射装置の開口より一回り小さい径の筒型に形成し、先端を射出後に空気圧を受け自然に前記外装体がカラーボールから分離するように円形凹部に形成した構成である。
【発明の効果】
【００１１】
本発明に係る警棒および弾丸発射装置とその弾丸は、上述のような構成からなるものであり、以下のような効果を有する。
（１）警棒の持ち手部に引き金部を装備され、先頭に内装されている弾丸発射装置を操作する特殊警棒であるので、警棒自体を使って逃げようとする犯人に向かって予想をしていない弾丸（発色弾）を発射することができる。
（２）発射装置が簡単に起動するように、持ち手部に略Ｌ字型の孔を開けて、そこにトリガーとなる引き金部を突出した構造としたため、警棒として使用すると同時に、すばやく弾丸を射出できる動作をすることができる。
（３）警棒自体を樹脂素材にすることにより、軽量且つ強度を保つことができ、簡単に扱うことができる。
（４）安全装置を設けることにより、捜査の途中で間違えって引き金部が作動しないように、誤動作による弾丸の発射を防止することができる。
【００１２】
（５）起爆材として取り扱いの簡便なガスボンベを利用して弾丸を発射させる装置であり、ガスボンベを移動させる単純な動作で密封口を確実に破砕できるので弾丸を目標に向けて正確に且つ長距離飛ばすことができる。
（６）弾丸発射装置の先端部分に爆風をコントロールする突出壁を形成して弾丸と密着させることにより、ガスボンベから噴出したガスが均一に弾丸を前方に発射することができる。
（７）噴出壁のガス保管部側に刃体を設けることにより、簡単にかつ確実にガスボンベの密封口に亀裂を作って破砕して充填されている圧縮ガスを噴出させることができる。また、刃体を円筒形状にし、さらに先端を斜めに削設することにより、ガスボンベに確実に孔を開け、ガスを噴出させることができる。
（８）弾丸は、外装体がカラーボールを覆う構造であり、カラーボールごと発射して飛ばすことができ、さらに外装体は、発射後に空気抵抗を受けて分割されて剥がれる構造であるので、外装体が初速度を与える際の衝撃に十分耐えられる構成であり、且つ対象物に当たる際にはある程度の重量のあるカラーボールだけが速度のある状態で当たって砕ける構成である。
【発明を実施するための最良の形態】
【００１３】
以下、本発明に係る警棒および弾丸発射装置とその弾丸について、図面に示した実施例に基づいて詳細に説明する。図１は本件発明に係る警棒の正面図であり、図２は警棒の横断面図であり、図３は弾丸発射装置と弾丸を装備し引き金部を引いた状態の警棒の横断面図であり、図４は警棒内の弾丸が発射直後の状態を示す警棒の横断面図であり、図５は弾丸を装着した状態の弾丸発射装置の横断面図であり、図６はガスボンベが押し上げられて弾丸が発射された状態を示す弾丸発射装置の横断面図である。図７は、発射された弾丸が外装体から離れる状態を示す断面図と部分斜視図である。
【００１４】
本発明にかかる警棒１０は、先端の先頭部２０と、基部の持ち手部３０と、先頭部に内装された弾丸発射装置５０と弾丸７０とからなる構成である。先頭部に内装された弾丸発射装置は、持ち手部に形成された引き金部３２の先端によって底部が押圧されて連動して爆発作動するものであり、カラーボールからなる弾丸７０が、本発明にかかる警棒の先端開口５２より発射される構成である。
【００１５】
先頭部２０は、先端が解放した弾丸の発射口となる開口５２が形成された円筒体からなり、持ち手部３０と着脱自在に嵌合装着される構造であって、内部には弾丸発射装置５０が弾丸７０とともに装備される構成である。また、図示してないが、先頭部２０の持ち手部側の内周壁には、弾丸発射装置５０を螺合装着するように螺合溝が削設されており、ガスボンベと弾丸を装備した弾丸発射装置の全体を入れ替えることの出来る構造となっている。これにより、弾丸発射後も弾丸発射装置のカートリッジを交換することが可能であり、また複数発の弾丸カートリッジを用意して詰め替えて連射使用することも可能となる。
【００１６】
持ち手部３０は、警棒の握り部であり、図２で示すように内部には引き金部３２と、弾性体３４が装備されている。また、外部から引き金部３２を操作できるように、略Ｌ字型の孔３６が穿孔されている構造である。操作に当たっては、まず引き金部３２の操作片３２１を弾性体３４の弾性に抗して基部側に引き寄せ、孔３６のＬ字型部分に係止し、目標に狙いを定めて操作片の係止を開放することにより、ガスボンベの密封口が破砕されて圧縮ガスが噴出し、弾丸が発射される構成である。
持ち手部の先端には、先頭部２０と持ち手部３０とを着脱自在に嵌合する程度の径の着脱部が形成されており、また、引き金部３２の円筒体には操作片を突出させるためのＬ字型の孔３８が切設されている。
【００１７】
引き金部３２は、操作片３２１と、弾性体嵌合部３２２と、突出部３２３が突設された略Ｔ字型の可動部であり、弾性体嵌合部３２２に嵌合している弾性体３４によって緩やかに前方に押圧された状態で静止している。
操作片３２１は、引き金部３２を外部から操作できるように、持ち手部３０に穿設されたＬ字型の孔３６から突出するような構造である。この実施例では図面で示すように、操作片３２１の先端を引き金部３２の操作がしやすいように略台形状に形成している。
【００１８】
弾性体嵌合部３２２は、弾性体３４の先端が嵌合する部分で、弾性体と密着嵌合するように弾性体の径より少し小さく形成されている。
突出部３２３は、引き金部３２の先端に突設された先頭部の内部に突出する細棒状の突出であり、引き金部３２が解除操作されることにより、弾性体嵌合部３２２と嵌合している弾性体の復元力により、先端方向に移動し、孔３８を通って先頭部２０の内部に突き出る構成である。この突出部３２３は、先頭部内に突出することにより後述する弾丸発射装置の底面を押すことになり、これによりガスボンベを前方に移動させて破砕させ弾丸を発射する構成である。
【００１９】
弾性体３４は、基部が持ち手部３０の底面に当接し、先端が引き金部３２の弾性体嵌合部３２２と嵌合する構成である。この実施例では伸びた状態で装着されており、操作片３２１により引き金部３２全体が持ち手部３０の基部方向に引かれると、弾性体が収縮して先頭部方向に復元力を保つ状態となる。弾性体の装着位置は図面に示す位置に限定されるものではなく、引き金部３２を引いた状態で、伸延する構成とすることも可能である。
図１及び図３に示すように、持ち手部３０に形成された略Ｌ字型の孔３６により、操作片３２１を操作して持ち手部３０の基部方向に引いて、Ｌ字型の孔３６に係合さる。これにより弾丸発射準備が完了した状態となり、弾性体３４を収縮させた状態で操作片を係止して保持することになる。
弾丸の発射に際しては、操作片３２１のＬ字型の孔３６との係合を開放することにより、弾性体が復元し、引き金部３２の突出部３２３が先頭部２０に突入してガスボンベを作動させることになる。
【００２０】
図面においては明示していないが、先頭部２０に間違った操作で突出部が突入しないように、孔３８を塞ぐことができる安全装置を組み込むことができる。また、操作片３２１が作動しないようにＬ字型の孔３６にカバーをする等の安全装置も考えられる。この実施例では、図面では明らかでないが、安全装置として、持ち手部３０の長手方向に垂直に設けられ、表面の操作個所を移動することにより、３０度回転させれば孔を塞ぐことができる回動自在の安全装置を装備している。また、孔３８を一時的に塞ぐ方法であれば、別の手段を利用することも可能である。
【００２１】
本発明に係る弾丸発射装置５０は、円盤状押圧体５４の軸を押圧することにより基部よりガスボンベ６０が先端方向に移動し、先端の密封口が刃体５８により貫通破砕されて、圧縮ガスを噴出する略円筒形状に形成された発射装置である。基端には外部から押圧できるように押圧孔５１が形成されている。また、先端には弾丸を装着し、弾丸を発射する開口５２が設けられている。さらに、内部にガスボンベ６０が保管できるガスボンベ保管部５３が設けられており、ガスボンベ６０を押圧孔５１から均一に押圧することができるように円盤状押圧体５４が設けられている構成である。また、ガスにより弾丸を発射できるように、噴出孔５６が設けられている噴出壁５５が設けられている。
【００２２】
弾丸発射装置５０は、弾丸を確実に発射するために、噴出壁５５と弾丸の間に空間を設けるようにために、円筒形に立ち上げた突出壁５７を形成した構造でもある。また、ガスボンベを確実に貫通させ、ガスを噴出させるように噴出壁５５に刃体５８を立設させた構造でもある。この刃体は、ガスボンベ６０の密封口を破砕貫通させるものであり、破砕ができればどのような形であってもよいが、円筒形の上部を斜めに切り取った側断面が台形となる形状が好ましい。この形状にすることにより、刃体がガスボンベ６０を貫通した際にガスボンベから抜けなくなることを防止することができ、確実にガスを噴出させることが可能となる。
【００２３】
ガスボンベ６０は、圧縮ガスが充填された円筒形のボンベで、この実施例では２本のボンベが装着されている。ガスボンベは円盤状押圧体５４の移動により先端方向に移動する。この移動により密封口は刃体に接近する。
【００２４】
本発明の弾丸７０は、内部に防犯用カラーボール７２と、発射後に分割する外装体７４とからなる。カラーボール７２は対象物に激突すると充填している内容物が飛散して犯人等に除去できない色彩の汚点を作る。
外装体７４は、複数に分割できる容器で、弾丸発射装置５０に嵌合して装着するために基端には弾丸発射装置の開口に内接できるように開口より一回り小さい径の筒型の密着部７４１が形成されている。また、外装体の先端には、外装体が対象物に当たらないで風圧で複数に分割するように、先端に円形凹部７４２が設けられ、弾丸射出後に空気圧を受けて自然に外装体７４がカラーボール７２から分離する構造となっている。その結果、外装体が外れた裸のカラーボール７２だけが発射後に露出して、目標に向かうので、的に当たりやすく、かつ遠方までの射程距離を確保することができる。
【００２５】
本発明の警棒および弾丸発射装置とその弾丸の使用方法は、まず、外装体７４の内部にカラーボール７２を内装した状態の弾丸７０を、弾丸発射装置５０に装着する。図５に示すように、外装体７４の密着部７４１を弾丸発射装置の開口５２から突出壁５７に当接するまで嵌入させ、外装体７４と突出壁により、空間８０を形成する。ガスボンベ６０は、予めガスボンベ保管部５３に配置する。弾丸発射装置５０はガスボンベ保管部５３にガスボンベ６０を配置できるように着脱することができる構造である。
【００２６】
弾丸７０を装着した弾丸発射装置５０は、この実施例では警棒１０の先頭部２０に螺合するように表面に溝が削設されており、先頭部２０に螺合させることにより、先頭部２０に堅固に装着することができる。また、弾丸７０は弾丸発射装置５０に密着しているため、振り回す程度の使用では簡単に外れない構造となっている。
先頭部２０は持ち手部３０から外れる構造なので、外した先頭部２０に弾丸発射装置５０を螺合させ、先頭部２０を再度持ち手部３０に装着することにより、警棒として使用することができる。
【００２７】
警棒として使用する場合には、この状態で使用することができ、振り回したり、必要時に殴打したとしても弾丸発射装置５０が外れることはない。
弾丸発射装置５０を使用する際には、持ち手部３０の操作片３２１を操作して、引き金部３２全体を持ち手部３０の底面方向に移動させる。これにより、弾性体３４を収縮状態とさせることができる。収縮した状態で保持するためには、操作片３２１を底面方向に移動させ、さらにＬ字型の孔３６の端部にずらして係止させることにより弾性体３４の収縮状態を保持することが可能となる。この状態から操作片が誤動作を起こさないように、安全装置により固定することが考えられる。
【００２８】
操作片の係止を解除することは、トリガーを引いて弾丸の発射することを意味し、引き金部３２全体が弾性体３４により先頭部２０方向に瞬間的に移動する。移動した際に、引き金部３２の突出部３２３が先頭部２０に配置された弾丸発射装置５０の押圧孔５１に進入して円盤状押圧体５４を押圧することにより、内部に保管されているガスボンベを均一に先端方向に押圧することによりガスボンベ６０は移動してその密封口は刃体５８に刺さって貫通破砕される。
密封口の破砕されたガスボンベ６０は、内部に充填されていた圧縮ガスは噴出してガスボンベ保管部５３に充満しつつ、噴出壁５５に設けられた噴出孔５６により瞬間的に中間の空間８０にガスが放出され弾丸をガス圧により先端方向に発射する。
【００２９】
発射された弾丸７０は、図６で示すように、弾丸の進行方向に円形凹部７４２が設けられているため、図７で示すように発射後に空気の抵抗を受けて自然に外装体７４が割れてボールから剥がれて落ち、内部装填されていたカラーボール７２が分離して飛行し、対象物にはカラーボールのみが当たる構成となっている。対象物に激突したカラーボールは衝突の衝撃で破裂して内部の充填物である色素等が犯人の被服等に飛散して付着する。
【００３０】
その他の実施例として、警棒に電気回路を組み込んでＬＥＤを点灯できる視認可能は特殊警棒とすることも可能である。また、先端に旗を装着して使用することも可能である。
本発明の警棒は、弾丸発射装置を備えているので、通常は警棒として使用しつつ、対象物が遠方の場合には弾丸発射装置を用いてカラーボールを打ち出すことが可能となる。また、対象物が人の場合であり、且つ警棒により確保できなかった場合でも、弾丸発射装置によりカラーボールを当てて内容物で犯人を汚染することにより、カラーボール特有の色及び匂いで早急に犯人の逮捕に資することが可能となる。
【図面の簡単な説明】
【００３１】
【図１】本件発明に係る警棒の正面図。
【図２】本件発明に係る警棒の横断面図。
【図３】本件発明に係る弾丸発射装置と弾丸を装備し引き金部を引いた状態の警棒の横断面図。
【図４】本件発明に係る警棒の発射直後の警棒内の弾丸を示す横断面図。
【図５】本件発明に係る弾丸発射装置の弾丸を装着した状態を示す横断面図。
【図６】本件発明に係る弾丸発射装置のガスボンベが押し上げられて弾丸が発射された状態を示す横断面図。
【図７】本件発明に係る弾丸発射装置の発射された弾丸が外装体から離れる状態を示す断面図と部分斜視図。
【符号の説明】
【００３２】
１０    警棒
２０    先頭部
３０    持ち手部
３２    引き金部
３２１  操作片
３２２  弾性体嵌合部
３２３  突出部
３４    弾性体
３６    Ｌ字型の孔
３８    孔
５０    弾丸発射装置
５１    押圧孔
５２    開口
５３    ガスボンベ保管部
５４    円盤状押圧体
５５    噴出壁
５６    噴出孔
５７    突出壁
５８    刃体
６０    ガスボンベ
７０    弾丸
７２    カラーボール
７４    外装体
７４１  密着部
７４２  円形凹部
８０    空間
【図１】
2010084978.tif 000003
【図２】
2010084978.tif 000004
【図３】
2010084978.tif 000005
【図４】
2010084978.tif 000006
【図５】
2010084978.tif 000007
【図６】
2010084978.tif 000008
【図７】
2010084978.tif 000009